(57)【特許請求の範囲】
【請求項１】
商品またはサービスに関連する電子証印を利用して取引を行う方法であって、前記電子証印は、始める業者によって始める当事者のモバイルコンピュータデバイスに最初に提供されるが、前記電子証印は、入手する当事者のモバイルコンピュータデバイスを用いて提供する業者での取引で使用され得、前記取引は、中央プロセッサと、前記始める業者および前記提供する業者を含み得る１つまたは複数の業者の販売時点情報管理（ＰＯＳ）端末と、前記始める当事者および前記入手する当事者を含み得る１つまたは複数の当事者のモバイルコンピュータデバイスとの間で行われ、
前記中央プロセッサで前記提供する業者から前記電子証印を受け取ることと、ここで、前記電子証印は、様々な当事者および業者の間で転送されるときに進化することができ、少なくとも、前記始める業者、前記始める当事者、前記入手する当事者、および、前記提供する業者に関して前記商品またはサービスの価格設定に影響のある販売促進情報を識別する、
前記中央プロセッサによって、
前記電子証印が有効であるかどうかと、
前記電子証印に関連する前記商品またはサービスと
を判定することと、
前記中央プロセッサによって、前記提供する業者が前記始める業者であるかどうかを判定し、前記提供する業者が前記始める業者ではないと判定される時に、前記電子証印の前記販売促進情報に基づいて前記電子証印の適当な取引価格を判定することと、
前記中央プロセッサによって、前記入手する当事者が前記始める当事者であるかどうかを判定し、前記入手する当事者が前記始める当事者ではないと判定される時に、前記電子証印の前記販売促進情報に基づいて、前記電子証印の前記取引価格を変更すべきかどうかを判定することと、
前記中央プロセッサと前記提供する業者との間で前記電子証印の最終的な取引価格を通信することと
を備える方法。
【請求項２】
前記電子証印が前記商品またはサービスに引き換えられ得るように、前記中央プロセッサで前記電子証印をアクティブ化することをさらに備える、請求項１に記載の方法。
【請求項３】
前記商品またはサービスを前記入手する当事者に提供することをさらに備える、請求項１に記載の方法。
【請求項４】
前記電子証印の前記適当な取引価格は、前記始める業者によって提供される前記電子証印に適用可能なすべての販売促進に少なくとも部分的に基づく、請求項１に記載の方法。
【請求項５】
前記電子証印の前記適当な取引価格は、前記提供する業者によって提供される前記電子証印に適用可能なすべての販売促進に少なくとも部分的に基づく、請求項１に記載の方法。
【請求項６】
前記電子証印の前記最終的な取引価格は、前記始める当事者に適用可能なすべての販売促進または特別価格設定に少なくとも部分的に基づく、請求項１に記載の方法。
【請求項７】
前記電子証印の前記最終的な取引価格は、前記入手する当事者に適用可能なすべての販売促進または特別価格設定に少なくとも部分的に基づく、請求項１に記載の方法。
【請求項８】
前記中央プロセッサによって、前記電子証印が複数の当事者の間で転送されたかどうかを判定し、そうである場合には、転送の回数を記録すること
をさらに備える、請求項１に記載の方法。
【請求項９】
前記電子証印が複数の当事者の間で転送されたかどうかの前記中央プロセッサの前記判定は、そのような転送によって引き起こされる前記電子証印に対する修正または変更に少なくとも部分的に基づく、請求項８に記載の方法。
【請求項１０】
前記提供する業者が前記始める業者であるかどうかの前記判定は、前記始める業者を識別する電子証印の部分に少なくとも部分的に基づく、請求項１に記載の方法。
【請求項１１】
前記提供する業者が前記始める業者であるかどうかの前記判定は、前記提供する業者の身元の前記始める業者の識別子との比較に少なくとも部分的に基づき、前記始める業者の前記識別子は、前記電子証印の一部であるか前記電子証印に含まれる、請求項１に記載の方法。
【請求項１２】
前記電子証印が有効であるかどうかの前記中央プロセッサによる前記判定は、前記電子証印が商品またはサービスを表す証印であるかどうかに基づく、請求項１に記載の方法。
【請求項１３】
前記電子証印が有効であるかどうかの前記中央プロセッサによる前記判定は、前記電子証印が前記提供する業者によって受入可能であるかどうかの判定である、請求項１に記載の方法。
【請求項１４】
前記電子証印が有効であるかどうかの前記中央プロセッサによる前記判定は、指定された長さの時間が満了し、前記電子証印を無効にしたかどうかに基づく、請求項１に記載の方法。
【請求項１５】
転送の前記回数は、商品もしくはサービス、業者、および／または販売促進の人気を判定するのに使用される、請求項８に記載の方法。
【請求項１６】
前記電子証印は、前記中央プロセッサで暗号化されたフォーマットで受け取られる、請求項１に記載の方法。
【請求項１７】
商品またはサービスに関連する電子証印を利用して取引を行う方法であって、前記電子証印は、始める業者によって始める当事者のコンピュータデバイスに最初に提供されるが、前記電子証印は、入手する当事者によって提供する業者との取引で使用され得、前記取引は、中央プロセッサと、前記始める業者および前記提供する業者を含み得る１つまたは複数の業者と、前記始める当事者および前記入手する当事者を含み得る１つまたは複数の当事者との間で行われ、
前記中央プロセッサで前記電子証印を備える開始メッセージを受け取ることと、ここで、前記電子証印は、様々な当事者および業者の間で転送されるときに進化することができ、少なくとも、前記始める業者、前記始める当事者、前記入手する当事者、および、前記提供する業者に関して前記商品またはサービスの価格設定に影響のある販売促進情報を識別する、
前記中央プロセッサによって、
前記電子証印が有効であるかどうかと、
前記電子証印に関連する前記商品またはサービスと、
前記始める業者と、
前記商品もしくはサービスまたは始める業者に関連するすべての関係する価格または販売促進と
を判定することと、
前記中央プロセッサで前記提供する業者から前記電子証印を受け取ることと、
前記中央プロセッサによって、前記提供する業者が前記始める業者であるかどうかを判定し、前記提供する業者が前記始める業者ではないと判定される時に、前記電子証印の前記販売促進情報に基づいて前記電子証印の適当な取引価格を判定することと、
前記中央プロセッサによって、前記入手する当事者が前記始める当事者であるかどうかを判定し、前記入手する当事者が前記始める当事者ではないと判定される時に、前記電子証印の前記販売促進情報に基づいて、前記電子証印の前記取引価格を変更すべきかどうかを判定することと、
前記中央プロセッサと前記提供する業者との間で前記電子証印に関連する前記商品またはサービスの最終的な取引価格を通信することと
を備える方法。
【請求項１８】
前記中央プロセッサは、前記開始メッセージを前記始める業者から受け取る、請求項１７に記載の方法。
【請求項１９】
前記中央プロセッサは、前記開始メッセージを前記始める業者によって提示されるディスプレイから受け取る、請求項１７に記載の方法。
【請求項２０】
前記中央プロセッサは、前記開始メッセージを前記始める業者に関連するプログラムまたはアプリケーションから受け取る、請求項１７に記載の方法。
【請求項２１】
前記中央プロセッサは、前記開始メッセージを前記始める業者の電子プレゼンス、ディジタルプレゼンス、またはオンラインプレゼンスから受け取る、請求項１７に記載の方法。
【請求項２２】
前記中央プロセッサは、前記開始メッセージおよび前記電子証印を暗号化された通信で受け取る、請求項１７に記載の方法。
【請求項２３】
前記開始メッセージは、前記電子証印が前記始める当事者によって前記始める業者から入手された時の時刻および日付スタンプをさらに備える、請求項１７に記載の方法。
【請求項２４】
商品またはサービスに関連する証印を利用して取引を行うシステムであって、
中央プロセッサと、
始める業者によって提示または表示される証印と、
始める当事者の電子デバイスと、前記始める当事者の前記電子デバイスは、前記証印を前記始める当事者から電子フォーマットで入手するかまたは受け取り、少なくとも前記始める当事者に関する情報を示す変更された電子証印を得るために前記電子証印を変更する、
支払う当事者の電子デバイスと、前記支払う当事者の電子デバイスは、前記始める当事者から前記変更された証印を得て、前記商品またはサービスを購入するために前記変更された証印を使用し、少なくとも前記支払う当事者と入手する当事者に関連した情報を示す更に変更された証印を得るために、前記変更された証印を更に変更する、
提供する業者における販売時点情報管理（ＰＯＳ）端末と、前記提供する業者のＰＯＳ端末は、アクティブ化された証印または前記支払う当事者によって提供された前記更に変更された証印に関連する前記商品もしくはサービスのいずれかを提供し、前記提供する当事者のＰＯＳ端末は前記中央プロセッサと選択的に通信している、
入手する当事者の電子デバイスと、前記入手する当事者の前記電子デバイスは、アクティブ化された証印または前記商品もしくはサービスのいずれかを前記提供する業者から受け取る、
を備えるシステム。
【請求項２５】
前記始める業者および前記提供する業者は、同一の業者である、請求項２４に記載のシステム。
【請求項２６】
前記始める当事者および前記入手する当事者は、同一の当事者である、請求項２４に記載のシステム。
【請求項２７】
前記入手する当事者は、前記提供する業者からアクティブ化された証印を受け取り、前記アクティブ化された証印を受け取る当事者に伝達する、請求項２４に記載のシステム。
【請求項２８】
前記中央プロセッサは、
前記証印が有効であるかどうかと、
前記証印に関連する前記商品またはサービスと、
前記提供する業者が前記始める業者であるかどうかと、
前記入手する当事者が前記始める当事者であるかどうかと、
前記証印の最終的な取引価格と
を判定するように構成される、請求項２４に記載のシステム。
【発明の詳細な説明】
【技術分野】
【０００１】
関連出願
本願は、２０１２年３月９日に出願した米国特許仮出願第６１／６０８８２０号の優先権を主張するものである。
【背景技術】
【０００２】
多目的リローダブル（multipurpose reloadable）デビットカード（開ループまたは閉ループ）およびワイヤレス携帯電話通話時間からディジタルダウンロード、トランジットアプリケーション（transit application）、および有形の商品の購入までの範囲に渡る商品またはサービスに関連するストアドバリューカード（stored value card）の普及は、ここ数年で非常に進んできた。用途の増加につれて、そのようなカードを提供し、使用するシステムおよび方法が進化した。
【０００３】
ストアドバリューカードは、一般に、２つのカテゴリすなわち、チップカードおよびアカウントカード（account card）に分類され得る。チップカード（たとえば、「スマートカード」）では、バリューアカウント（value account）は、実際にはカード自体に存在する場合がある。対照的に、アカウントカードに関して、カードは、他所、たとえば支払プロセッサ上または金融機関のデータベース内に存在し得るバリューアカウントに関連付けられ得る。そのような状況では、ストアドバリューカードは、アクティベーション、引換、再ロード、再チャージその他などのカード取引を行うのに使用できる、アカウント番号などであるがこれに限定されない証印を備えることができる。
【０００４】
しかし、物理的なカード自体（または、基礎になるストアドバリューアカウントにアクセスするのに必要な情報を備える任意のそのような有形の媒体）の必要性または有用性は、ディジタルデバイス（携帯電話機、モバイルデバイス、タブレット、ラップトップコンピュータ、他のコンピュータ、Ｎｏｏｋ（登録商標）およびＫｉｎｄｌｅ（登録商標）などの電子リーダーなどであるがこれに限定されない）の使用が増えるにつれて大幅に減らされる可能性がある。
【０００５】
物理的なカードの必要性、有用性、または望ましさが減るにつれて、基礎になるバリューアカウントに関連する証印が、ますます重要になる可能性がある。したがって、ストアドバリューアカウントに関連付けられると同時に転送可能である証印が、望ましい可能性がある。
【発明の概要】
【０００６】
本発明の諸態様は、商品またはサービスに関連する証印を利用して取引を行う方法であって、証印は、始める業者によって始める当事者に最初に提供されるが、証印は、入手する当事者によって提供する業者との取引で使用され得、取引は、中央プロセッサと、始める業者および提供する業者を含み得る１つまたは複数の業者と、始める当事者および入手する当事者を含み得る１つまたは複数の当事者との間で行われ、中央プロセッサで提供する業者から証印を受け取ることと、中央プロセッサによって、証印が有効であるかどうかと、証印に関連する商品またはサービスとを判定することと、中央プロセッサによって、提供する業者が始める業者であるかどうかを判定し、提供する業者が始める業者ではないと判定される時に、証印の適当な取引価格を判定することと、中央プロセッサによって、入手する当事者が始める当事者であるかどうかを判定し、入手する当事者が始める当事者ではないと判定される時に、証印の取引価格を変更すべきかどうかを判定することと、中央プロセッサと提供する業者との間で証印の最終的な取引価格を通信することとを備える方法を含むことができる。
【０００７】
本発明の他の態様は、商品またはサービスに関連する証印を利用して取引を行う方法であって、証印は、始める業者によって始める当事者に最初に提供されるが、証印は、入手する当事者によって提供する業者との取引で使用され得、取引は、中央プロセッサと、始める業者および提供する業者を含み得る１つまたは複数の業者と、始める当事者および入手する当事者を含み得る１つまたは複数の当事者との間で行われ、販売時点情報管理で提供する業者によって証印を取り込むことと、証印が提供する業者によって受け入れられるかどうかを判定し、証印が提供する業者によって受け入れられないと判定される時に、取引を終了することと、証印が提供する業者によって受け入れられると判定される時に、証印を中央プロセッサに通信することと、証印の取引価格を中央プロセッサから受け取ることとを備える方法を含むことができる。
【０００８】
本発明の他の態様は、商品またはサービスに関連する証印を利用して取引を行うシステムであって、中央プロセッサと、始める業者であって、証印を始める当事者に提供する、始める業者と、始める当事者であって、証印を始める当事者から入手する、始める当事者と、提供する業者であって、アクティブ化された証印または証印に関連する商品もしくはサービスのいずれかを入手する当事者に提供し、中央プロセッサと選択的に通信している、提供する業者と、入手する当事者であって、提供する業者と取引を行い、アクティブ化された証印または商品もしくはサービスのいずれかを提供する業者から入手する、入手する当事者とを備えるシステムを含むことができる。
【０００９】
上記および他の態様は、次の図面に関連して解釈される本発明の以下の説明から明白になるが、さまざまな変更および修正を、本発明の新規の概念の趣旨および範囲から逸脱せずに実施することができる。
【００１０】
本発明を、添付図面と一緒に以下の詳細な説明を読むことによってより十分に理解することができ、添付図面では、同様の符号が、同様の要素を指定するのに使用される。添付図面は、ある種の例示的な実施形態を示し、以下の詳細な説明の理解を助ける可能性がある。本発明の実施形態を詳細に説明する前に、本発明が、以下の説明に記載されまたは図面に図示された構成要素の構造および配置の詳細への適用に限定されないことを理解されたい。示される実施形態は、例示的であるものとして理解されなければならず、いかなる形でも本発明の全体的範囲について限定的ではない。また、本明細書で使用される語法および用語法が、説明のためのものであって、限定的と解釈されてはならないことを理解されたい。詳細な説明は、次の図面を参照する。
【図面の簡単な説明】
【００１１】
【図１】本発明のいくつかの実施形態による、例示的なディスプレイを示す図。
【図２】本発明のいくつかの実施形態による、例示的なディスプレイを示す図。
【図３】本発明のいくつかの実施形態による、例示的な証印を有する例示的なディスプレイを示す図。
【図４】本発明のいくつかの実施形態による、全体的な取引フローを示す図。
【図５】本発明のいくつかの実施形態による、さまざまなディスプレイ通信方法または更新方法を示す図。
【図６】本発明のいくつかの実施形態による、全体的な取引フローを示す図。
【図７】本発明のいくつかの実施形態による、例示的な委託スケジュールを示す表。
【図８Ａ】本発明のいくつかの実施形態による、１つまたは複数のユーザの間で１つまたは複数の証印を転送するシステムおよび方法を示す図。
【図８Ｂ】本発明のいくつかの実施形態による、１つまたは複数のユーザの間で１つまたは複数の証印を転送するシステムおよび方法を示す図。
【図８Ｃ】本発明のいくつかの実施形態による、１つまたは複数のユーザの間で１つまたは複数の証印を転送するシステムおよび方法を示す図。
【図８Ｄ】本発明のいくつかの実施形態による、１つまたは複数のユーザの間で１つまたは複数の証印を転送するシステムおよび方法を示す図。
【図９Ａ】本発明のいくつかの実施形態による、１つまたは複数のユーザの間で１つまたは複数の証印を転送するシステムおよび方法を示す図。
【図９Ｂ】本発明のいくつかの実施形態による、１つまたは複数のユーザの間で１つまたは複数の証印を転送するシステムおよび方法を示す図。
【図１０】本発明のいくつかの実施形態による、組織および１つまたは複数のユーザの間で１つまたは複数の証印を転送するシステムおよび方法を示す図。
【図１１】本発明のいくつかの実施形態による、企業間環境で１つまたは複数の証印を転送するシステムおよび方法を示す図。
【図１２】本発明のいくつかの実施形態による、１つまたは複数のユーザの間で関心を持つ当事者によって識別された１つまたは複数の証印を転送するシステムおよび方法を示す図。
【図１３】本発明のいくつかの実施形態による、１つまたは複数のユーザの間で１つまたは複数のアクティブ証印を転送するシステムおよび方法を示す図。
【図１４Ａ】本発明のいくつかの実施形態による、グループギフト環境で１つまたは複数のユーザの間で１つまたは複数の証印を転送するシステムおよび方法を示す図。
【図１４Ｂ】本発明のいくつかの実施形態による、グループギフト環境で１つまたは複数のユーザの間で１つまたは複数の証印を転送するシステムおよび方法を示す図。
【発明を実施するための形態】
【００１２】
本発明の実施形態を詳細に説明する前に、本発明が、以下の説明に記載されまたは図面に図示された構成要素の構造および配置の詳細への適用に限定されないことを理解されたい。本発明は、他の実施形態が可能であり、さまざまな形で実践されまたは実行されることが可能である。また、本明細書で使用される語法および用語法が、説明のためのものであって、限定的と解釈されてはならないことを理解されたい。
【００１３】
この説明で例示される事柄は、添付図面に関連して開示されるさまざまな例示的実施形態の総合的な理解を助けるために提供されるものである。したがって、当業者は、本明細書で説明される例示的実施形態のさまざまな変更および修正を、請求される発明の趣旨および範囲から逸脱せずに行うことができることを認めるであろう。周知の機能および構造の説明は、明瞭さおよび簡潔さのために省略する。さらに、本明細書で使用される時に、単数形を複数形で解釈することができ、また、逆に、複数形のすべての単語を単数形であるものとして解釈することができる。
【００１４】
本願は、全体的に、顧客への商品またはサービスの広告、追跡、処理、アクティブ化、オーサリング、および提供（それに基づく手数料を含む）のためのシステム、方法、およびコンピュータ可読媒体を対象とする。より具体的には、本発明は、次のうちの少なくとも１つに関するさまざまな態様、システム、構成要素、および方法論を対象とする。
【００１５】
（ｉ）小売店舗でさまざまな商品またはサービスを顧客に表示することと、
（ｉｉ）商品またはサービスの証印を顧客に提供することと、
（ｉｉｉ）顧客または始める当事者が、デバイス、たとえば携帯電話機、タブレット、またはコンピュータ内の証印を取り込むか保存することを可能にされることと、
（ｉｖ）始める当事者が、デバイス上またはデバイス内での購入の前に証印を中間状態で維持することを可能にされることと、
（ｖ）たとえば、（ａ）始める当事者が、証印（または、証印に関連する識別子）を、商品またはサービスに関して支払う可能性がある別の当事者すなわち支払う当事者に送信できるものとすることができ、（ｂ）始める当事者が、証印について支払うことができるように、別の当事者すなわち受け取る当事者に商品またはサービスを送ることができるものとすることができるように、かつ／または（ｃ）始める当事者、支払う当事者、および受け取る当事者（それぞれ、同一ユーザまたは異なるユーザとすることができる）によってそれらの間で証明され得る任意の他の転送可能性、証印が転送可能であることと。
【００１６】
（ｖｉ）証印が、商品またはサービスを購入し、かつ／またはアクティブ化し、かつ／または認可するのに使用可能であることと、
（ｖｉｉ）証印は、さまざまな情報を備えることができ、あるいは、異なる情報を組み合わせることによって作成され得る。証印は、さまざまな当事者および小売業者の間で転送される時に進化することができ、どの点においても、（ａ）特定の商品またはサービス、（ｂ）始める小売業者、（ｃ）始める当事者、（ｄ）購入する当事者、（ｅ）受け取る当事者、（ｆ）提供する小売業者、（ｇ）特定の商品またはサービスに関する価格設定、および／または（ｈ）商品またはサービスの価格設定に影響する可能性があるすべての販売促進、リベート、カスタマロイヤリティメンバシップ、クーポン、または他のプログラムもしくはプランのうちの１つまたは複数を識別しまたはこれに関連付けられ得る。
【００１７】
（ｖｉｉｉ）電子商品、電子サービス、ディジタル商品、またはディジタルサービスの場合に、商品またはサービスは、実際に始める小売業者のデバイスに配置されまたはダウンロードされ得るが、商品またはサービスが購入されるまで、ロックされ得、これによって使用を防ぐことができる。
【００１８】
（ｉｘ）商品またはサービスは、（ａ）始める小売業者で（たとえば、販売時点情報管理（ＰＯＳ）での通常のインレーン取引を介して）、（ｂ）始める小売業者のウェブサイトまたは他のオンラインプレゼンスもしくは電子プレゼンスを訪問することによって、（ｃ）デバイス上のアプリケーションを介して（ここで、アプリケーションを、始める小売業者、サードパーティ、または競合する小売業者に関連付けるか、これらによって提供することができる）、（ｄ）サードパーティまたは競合者小売業者の位置を訪問し、ＰＯＳでの通常のインレーン取引を介して購入を完了することによって、（ｅ）サードパーティまたは競合者小売業者のウェブサイトまたは他のオンラインプレゼンスもしくは電子プレゼンスを訪問することによって、購入され得る。
【００１９】
（ｘ）商品またはサービスが購入される時に、始める小売業者は、手数料支払を受け取ることができ、手数料支払は、購入取引が誰からどのようにして発生したのかに依存して変化する可能性がある。たとえば、証印が、ＰＯＳでの通常のインレーン取引中にまたは始める小売業者によって提供されもしくは始める小売業者のために管理されるアプリケーションもしくはオンラインプレゼンスを介して、始める小売業者で商品またはサービスを購入するのに使用される場合に、始める小売業者は、手数料全額、たとえば１００Ｘを受け取ることができる。証印が、後刻に、たとえばサードパーティアプリケーションまたはオンラインプレゼンスを介して、商品またはサービスを購入するのに使用される場合には、始める小売業者は、手数料全額（１００Ｘ）またはわずかに減らされた手数料（７５Ｘ）を受け取ることができる。証印が、後刻に、競合する小売業者を介して（インレーンまたは競合する小売業者のアプリケーションもしくはオンラインプレゼンスを介してのいずれかで）商品またはサービスを購入するのに使用される場合に、始める小売業者は、減らされた手数料、たとえば５０Ｘを受け取ることができ、競合する小売業者（今は提供する小売業者である）は、プログラム全体に参加する場合に、５０Ｘの手数料を受け取ることができる。
【００２０】
（ｘｉ）始める小売業者および／または提供する小売業者の手数料は、商品またはサービスに関連するさまざまな販売促進に基づいて変化するものとすることができる。たとえば、始める小売業者は、商品またはサービスの全体価格を下げ、これによってその手数料を減らすことによって、提供する小売業者になる可能性を増やすことを試みることができる。たとえば、始める小売業者が、顧客に証印を最初に伝達することに関して５０Ｘの手数料を受け取る場合に（競合者小売業者で購入される場合であっても）、始める小売業者は、２５Ｘだけ商品またはサービスの価格を下げ、これによって、潜在的に、販売する可能性および販売に失敗する場合に５０Ｘではなく７５Ｘの手数料を受け取る可能性を高めることができる。
【００２１】
本発明のいくつかの実施形態では、さまざまな証印は、後の購入のためにモバイルデバイスのバスケットに格納され得る。そのような状況では、証印を有する任意の当事者（受け取る当事者または支払う当事者になることを期待して彼らのデバイスに証印を有する始める当事者）は、特定のまたは関連する商品またはサービスに向けられた販売促進に関するさまざまな更新または通信を受け取ることができる。
【００２２】
上で短く注記したように、本発明は、小売業者店舗に存在する可能性があるユーザディスプレイを備えることができる。ユーザディスプレイは、基本的なサイネージ、ビデオディスプレイ、タッチスクリーン、ｅ−ｉｎｋ（たとえば、双安定ディスプレイ）、対話型ディスプレイ、１つまたは複数のスクリーンもしくはマルチスクリーンもしくはディスプレイゾーン、マルチメディアディスプレイ（たとえば、サウンド、ビデオ、触覚、嗅覚、味覚などを有する）を備えることができる。
【００２３】
表示される情報を、さまざまな形で更新することができる。基本的なサイネージでは、ディスプレイは、通所の形に従って、すなわち、さまざまなサインおよびディスプレイを置換して、更新され得る。電子ディスプレイ（ビデオまたは他の形）の場合に、ディスプレイ上の情報は、ネットワーク接続の使用を介して（たとえば、インターネット、Ｔ１、Ｔ３、ケーブル、光ファイバなど）、モバイル技術（たとえば、３Ｇ、４Ｇなど）、ワイヤレス技術（ＲＦＩＤ、ＢｌｕｅＴｏｏｔｈ（登録商標）、または他のワイヤレス技術）を介して、または更新可能もしくは置換可能なメモリを介して（たとえば、ディスク、メモリカード、サムドライブ、ＤＶＤ、または他のストレージデバイスなど）、更新され得る。
【００２４】
商品またはサービスは、任意の個数の製品を備えることができる。たとえば、ストアドバリューカード（たとえば、ギフトカード、プリペイドデビットカードなど）、ワイヤレステレホンカードもしくはワイヤレスプリペイドカード、ゲーミングトークンもしくはバリューカード、トランスポーテーショントール（transportation toll）、ランドリーバリュー（laundry value）、ディジタルメディア（たとえば、音楽、ビデオ、本、プログラム、ソフトウェア、ゲーム、アプリケーションなど）、サービス、および／または任意の他の仮想商品、電子商品、ディジタル商品、もしくは物理商品である。
【００２５】
始める当事者によって選択され、保存された証印は、モバイルデバイスに関連するさまざまなウォレット、フォルダ、グループ化、またはバスケットに配置し、保持し、かつ／または保存されるものとすることができる。そのようなウォレット、フォルダ、グループ化、またはバスケットは、ユーザによって作成され、管理されるものとすることができ、始める小売業者、商品またはサービスのカテゴリ、選択の日付、支払機構その他などのさまざまな特性に関連付けられるものとすることができる。証印は、購入までまたは時間の期間が経過し、証印が満了するまで、そのようなウォレット、フォルダ、グループ化、またはバスケット内で保持され得る。代替案では、証印が、商品またはサービスに関連付けられ、特定の価格または販売促進に関連付けられる場合に、証印は、販売促進が終わる時または価格がもはや使用可能ではない時に、満了しまたは削除することができる。
【００２６】
図１を参照して、本発明のいくつかの実施形態による、例示的なディスプレイ１０をこれから議論する。ディスプレイ１０は、任意の形のサイネージ、ビデオディスプレイ、モニタ、タッチスクリーン、双安定ディスプレイなど１１０とすることができる。ディスプレイ１０は、１つまたは複数のディスプレイゾーンを備えることができ、１つまたは複数の製品を表示することができる。図１を参照すると、ディスプレイ１０は、ディスプレイを使用することによって購入しまたは入手することができるさまざまな製品すなわち商品またはサービスを示すことができる。たとえば、ディスプレイ１０は、金融製品１１１（たとえば、５０ドル、１００ドル、または２５０ドルのＶｉｓａカード）、通話時間または携帯電話製品１１２（たとえば、６０分、１２０分、または１８０分のプリペイド通話時間）、ディジタルメディア１１３（たとえば、ｉＴｕｎｅｓプリペイドカード、単一の楽曲ダウンロード、または映画ダウンロード購入もしくはレンタル）、または他のアイテム１１４（たとえば、オンラインゲームまたはローカルゲームのゲームトークン、ランドリーカードまたはランドリーバリュー、ｅ−リーダー用のダウンロード可能な書籍など）を示すことができる。任意の商品（ディジタル、電子、または物理のいずれであれ）が、本発明のシステムおよび方法を介して購入され得、証印によって識別され得ることが企図されている。
【００２７】
さらに、証印は、ある量の価値を関連付けられるものとすることができ、本発明は、ユーザの間で金額を送信するのに使用され得る。価値の証印、たとえば５０ユーロを表す証印が、始める当事者によって選択され得る。始める当事者は、５０ユーロをドルで支払うことができ、その後、その価値の証印を、受け取る当事者に送ることができる。受け取る当事者は、価値すなわち５０ユーロを入手するのに、送られた証印を使用することができる。
【００２８】
同様に、証印は、ユーザのグループの中で流通され得、各ユーザは、証印に価値を付加することができる。たとえば、始める当事者は、可変額面金額Ｖｉｓａプリペイドデビットカードに関連する証印を選択することができる。始める当事者は、関連するＶｉｓａプリペイドデビットカードに５０ドルを付加するための支払を選択し、提供することができる。その後、始める当事者は、他者に証印を流通させまたは渡すことができ、この他者は、証印の使用を介して、Ｖｉｓａプリペイドデビットカードに貢献することができる。終了した時に、証印は、累積ギフトを受け取ることができる、受け取る当事者に送られ得る。
【００２９】
ディスプレイ１０内に表示されたアイテム１１１、１１２、１１３、１１４のそれぞれは、証印を関連付けられるものとすることができる。証印は、下で図３を参照してより詳細に議論するように、ディスプレイの使用を介して使用可能とすることができる。
【００３０】
ディスプレイ１０は、サードパーティによって提供されるものとすることができ、これは、ディスプレイ１２０上で示され得る。サードパーティは、始める小売業者、提供する小売業者、および／または商品もしくはサービスの提供者の間の仲介当事者とすることができる。サードパーティは、本発明のシステムおよび方法を確立し、管理することができる。
【００３１】
図２を参照すると、ディスプレイ２０は、１つまたは複数のディスプレイゾーンを備えることもできる。たとえば、ディスプレイは、２つのゾーンに分割され得、ここで、１つのゾーン２１０は、さまざまな販売促進および値引き２１１を表示し、第２のゾーン２２０は、販売促進または値引きが適応される対応する製品２１２、２１３を表示する。代替案では、１つのディスプレイゾーンは、コマーシャルまたは他のそのような広告などのビデオを提供することができ、第２のディスプレイゾーンは、広告されつつある製品および対応する証印を表示する。
【００３２】
代替案では、さまざまなディスプレイゾーンは、関係する、相補的な、または関連する製品を表示するのに使用され得る。たとえば、ディスプレイがタッチスクリーンである場合に、ユーザは、たとえばカテゴリによって分離されたディジタルカタログから特定の製品を選択できるものとすることができる。ユーザが、製品またはカテゴリを選択した後に、他の関係する、相補的な、または関連する製品が、表示され得る。そのような実施形態では、たとえば、ユーザは、映画または劇場のチケットに対応する製品を選択することができ、その劇場の近くのレストランに関する製品が、表示され得る。
【００３３】
いくつかの実施形態では、匹敵する製品またはサービスが、選択された製品またはサービスと一緒にまたはその代わりに顧客に表示されるものとすることができる。たとえば、顧客が、レストランに関するさまざまなギフトカードを見つつある場合がある。顧客は、イタリアンレストランを選択した可能性がある。ディスプレイは、始める小売業者が現在の値引きまたは販売促進をそれに関して提供できる匹敵する製品すなわち、他のイタリアンレストランまたは類似するレストランを示すことができる。
【００３４】
ディスプレイは、所望のまたは選択された製品またはサービスに関連する証印をユーザまたは顧客に伝達することができる任意の種類のデバイスとすることができる。証印は、携帯電話を読み取ることによって、またはたとえば機械コードを読み取ることによって、ディスプレイから証印を他の形で入手することによって、伝達され得る。図３を参照すると、証印は、コード（たとえば、バーコード３１１、アステカコード３１２、ＱＲコード（登録商標）３１９、またはピクチャコード３１９）としてリストされ、表示され得、あるいは、ユーザがモバイルデバイスに入力することのできるアルファベットコード３１５、数字コード３１４、または英数字コード３１６とすることができる。証印は、ディスプレイの特定の部分３１３を「タップする」ことによって促すことができる、たとえば使用ＲＦＩＤまたはＢｌｕｅＴｏｏｔｈ技術を介して、ユーザデバイスにワイヤレスで送信されるものとすることもできる。代替案では、ユーザは、たとえばＵＳＢケーブルまたはｍｉｎｉ−ＵＳＢケーブル３１７の使用によって、ユーザデバイスをディスプレイに直接に接続することができる。
【００３５】
図４を参照して、全体的な取引をこれから議論する。始める小売業者４１０は、ディスプレイを備えることができ、このディスプレイは、さまざまな商品またはサービスのさまざまな証印を備えることができる。始める当事者４２０は、デバイス４２１上の１つまたは複数の証印を選択し、保存することができる。この点で、始める当事者は、小売業者チェックアウト販売時点情報管理（ＰＯＳ）に進み、証印に関連する商品またはサービスについて支払うことができる。ここで、始める当事者は、支払う当事者でもある。支払われた後に、商品またはサービスは、物理的にまたは電子的にのいずれかで、始める当事者に提供され得る。ここで、始める当事者は、支払う当事者および受け取る当事者でもある。
【００３６】
代替案では、始める当事者４２０は、証印を使用して商品またはサービスについて支払うことのできる異なる当事者すなわち支払う当事者に証印を提供することができる。支払う当事者４３０は、始める小売業者４１０、始める小売業者４１０のディジタルプレゼンス、異なる小売業者、異なる小売業者のディジタルプレゼンス、またはサードパーティ（たとえば、プログラムを管理する当事者）で商品またはサービスについて支払うのに、デバイス４３１を利用することができる。図４を参照すると、この例示的な実施形態では、支払う当事者４３０は、証印を使用して商品またはサービスを購入するのに、異なる小売業者４４０のウェブサイトを利用することができる。異なる小売業者は、提供する小売業者である。始める小売業者および提供する小売業者が同一であってもよいことに留意されたい。
【００３７】
その後、提供する小売業者４４０は、購入された商品またはサービスを所望の当事者に提供することができる。購入された商品またはサービスを受け取る当事者すなわち、別のデバイス４５１上でまたはこれに関連する商品またはサービスを受け取ることができる受け取る当事者４５０。受け取る当事者が、始める当事者または支払う当事者であってもよいが、そうである必要がないことに留意されたい。
【００３８】
図５を参照して、小売店舗５１０のディスプレイ５１１を更新するさまざまな形を、短く議論する。ディスプレイ５１１は、さまざまな販売促進またはアイテムのローカルデータベース５１２と選択的に通信しているものとすることができる。ディスプレイ５１１は、メモリカード、サムドライブ、ＤＶＤ、または小売業者５１０にローカルな更新された情報の任意の他のダウンロードを受け取ることができる入力５１３と選択的に通信しているものとすることができる。代替案では、ディスプレイ５１１は、それ自体のワイヤレス通信５２１を使用してディスプレイをリモートに更新することができる別の当事者５２０と選択的にワイヤレス通信５１４しているものとすることができる。ディスプレイ５１１は、たとえばネットワーク接続（たとえば、インターネット、ホスト対ホスト接続、直接回線など）によって、サードパーティ５２０と選択的に有線通信しているものとすることができる。複数の当事者が、ディスプレイ５１１上の情報を更新できるものとすることができることも企図されている。たとえば、プロバイダは、表示時間を購入することができ、さまざまな商品、サービス、販売促進などを表示するのにそのような時間を使用することができる。したがって、プロバイダは、ディスプレイへのその貢献を直接に更新し、かつ／または変更することができる。
【００３９】
図６を参照し、本発明のいくつかの実施形態による証印および購入される製品またはサービスの潜在的なフロー６０をこれから議論する。始める当事者６１０は、始める小売業者６４０からの証印６７０を取り込むのにデバイス６１１を使用することができる。証印６７０は、製品またはサービスを識別する情報、成否またはサービスの価格設定情報、始める小売業者６４０を識別する情報、その他などの情報を備えることができる。
【００４０】
始める当事者６１０は、証印を支払う当事者６２０（または支払う当事者のデバイス６２１）に伝達することができる。始める当事者６１０から支払う当事者６２０に伝達される証印６７１が、始める小売業者６４０で取り込まれた当初の証印６７０から変更され得ることに留意されたい。たとえば、変更された証印は、始める当事者を識別する情報、始める当事者のさまざまなカスタマロイヤリティメンバシップ情報などを含むことができる。支払う当事者６２０は、商品またはサービスを購入するのに証印６７２を使用することができる。商品またはサービスは、提供する当事者すなわち、始める小売業者６４０、サードパーティ６５０、または提供する小売業者６６０である別の小売業者から購入され得る。支払う当事者６２０から提供する当事者に提供される証印６７２は、さらに、証印６７０または６７１から変更され得る。証印６７２は、支払う当事者６２０を識別する情報、支払う当事者６２０のさまざまなメンバシップ、または商品もしくはサービスを受け取る当事者すなわち受け取る当事者６３０を識別するかこれに関連する情報を備えることができる。
【００４１】
提供する当事者は、商品またはサービスを受け取る当事者６３０または受け取る当事者のデバイス６３１に提供することができる。やはり、始める当事者６１０、支払う当事者６２０、および受け取る当事者６３０が、同一のまたは異なる当事者またはユーザであってもよいことに留意されたい。
【００４２】
図７を参照し、さまざまな購入配置に基づく例示的な委託スケジュール７０をこれから議論する。たとえば、始める小売業者が、最初の証印を顧客７１に提供することによって販売を開始したので（最後の販売がどこで行われたのかにかかわりなく）、始める小売業者は、Ｘ（たとえば、購入された製品の価値の１〜２％）７２の手数料の資格を与えられ得る。提供する小売業者は、その提供する小売業者がプログラム７３に参加しつつあると仮定して、販売を完了したことに関するＹの手数料７４（たとえば、購入された製品の価値の２〜２．５％）を受け取ることができる。提供する小売業者が、プログラム参加者ではない場合、または商品もしくはサービスが中立のサードパーティ（たとえば、プログラムを管理するサードパーティ）から提供された場合７５には、始める小売業者は、Ｚの追加の手数料（たとえば、購入された製品の価値の０．５％）７６の資格を与えられ得る。
【００４３】
したがって、始める小売業者が、提供する小売業者である場合には、その小売業者は、製品またはサービスの購入価格の３〜４．５％の手数料の資格を与えられ得る。始める小売業者は、製品またはサービスの成功の広告、表示、および販売の開始について報酬を与えられる。提供する小売業者は、実際に取引を成立させたことについて報酬を与えられる。
【００４４】
始める当事者または任意の他の当事者が、１つまたは複数の証印をデバイスに保存した後に、デバイス上で証印を選択し、小売業者またはプログラムを管理するサードパーティによって提供され得るアプリケーションを利用することによって、関連する製品またはサービスを購入することができるものとすることができることを了解されたい。したがって、プログラムマネージャまたは任意の他の中立のサードパーティによって提供されるアプリケーションを使用する購入は、始める小売業者の手数料に悪影響を及ぼすのではなく、小額を追加するはずである（販売手数料が別の当事者に支払われないので）。
【００４５】
そのような仲介アプリケーションは、さまざまな証印を入手するために始める業者のディスプレイと通信することができ、まだ購入されていないさまざまな証印を保持するバスケットとして働くことができる。仲介アプリケーションは、購入のために選択された証印に関する簡単な支払を提供するために、資金源（たとえば、モバイルウォレットまたは金融口座）と選択的に通信していることもできる。さらに、仲介アプリケーションは、さまざまな商品またはサービスの可用性または価格設定に影響する可能性があるユーザ情報を含むことができる。たとえば、顧客は、さまざまなカスタマロイヤリティプログラム、価格設定に影響する可能性があるメンバシッププログラム（たとえば、ＡＡＡ）、成否またはサービスの可用性に影響する可能性があるメンバシッププログラム（たとえば、ＤｉｒｅｃｔＢｕｙまたはクラブからの購入）、または製品もしくはサービスの可用性もしくは価格設定に影響兎する可能性がある他の識別する特性を記録するのに、そのような仲介アプリケーションを利用することができる。ディスプレイに表示された証印は、すばやく効率的でシームレスな購入取引を提供することを試みて、そのような仲介アプリケーションと共に使用するために特に構成されるものとすることができる。
【００４６】
図８Ａ〜Ｄを参照し、本発明のいくつかの実施形態による転送可能な証印を利用するシステムおよび方法を、これから議論する。図８Ａを参照すると、始める当事者８１０が、格納された価値の１つまたは複数の証印８２０を取り込み、読み取り、または他の形で入手できることが企図されている。始める当事者８１０は、証印８２０を第２の当事者８３０に伝達することができる。始める当事者８１０が、第２の当事者８３０であってもよく、かつ／または第２の当事者８３０が、支払う当事者および／または受け取る当事者であってもよいことに留意されたい。第２の当事者８３０は、証印８２０を購入することができ、証印８２０を別の当事者に渡すことができ、あるいは、購入された後に／場合に証印８２０を受け取ることができる。
【００４７】
図８Ｂを参照すると、始める当事者８１０は、証印８２０を複数の当事者８３０、８３１、８３２に伝達することができる。この実施形態では、当事者８３０、８３１、８３２のうちの１つまたは複数が、支払う当事者または受け取る当事者であるものとすることができる。たとえば、始める当事者８１０が、ある証印を受け取るか、さまざまな潜在的なギフト提供者に証印を送るかのいずれかを望む場合がある。いくつかの実施形態によれば、始める当事者８１０は、たとえば証印が下げられた価格のテキストブックを示す場合に、当事者８３０、８３１、８３２のそれぞれが証印を入手し、受信することを望む可能性がある。
【００４８】
図８Ｃを参照すると、始める当事者８１０は、証印８２０、８２１、８２２、８２３を第２の当事者８３０に伝達することができる。第２の当事者８３０は、購入、受取、または別の当事者への転送のうちの１つまたは複数を選択することができる。同様に、図８Ｄは、始める当事者８１０が、複数の証印８２０、８２１、８２２、８２３を複数の当事者８３０、８３１、８３２に伝達できることを示す。たとえば、教師が、読書リストを備える複数の証印をさまざまな生徒に渡すことができる。
【００４９】
図９Ａおよび９Ｂは、本発明のいくつかの実施形態に従って、証印が、商品またはサービスのカテゴリまたはサブセットを識別でき、特定の商品またはサービスをより具体的に識別するために、さまざまなユーザの間での転送中に進化することができることを示す。図９Ａを参照すると、始める当事者９１０は、始める当事者９１０が受け取るか、受け取る当事者に送ることを望む全般的な製品を識別することができる。たとえば、始める当事者９１０は、あるゲーム内で使用できる価値に対応するプリペイド製品系列を識別することができる。始める当事者９１０は、このタイプのストアドバリューカードの証印９２０Ａを第２の当事者９３０に送ることができる。この例では、第２の当事者９３０は、支払う当事者とすることができるが、第２の当事者９３０が、証印９２０Ａをさらに下流に渡すことができ、あるいは、受信する当事者であることもできることが予想されることに留意されたい。
【００５０】
その後、第２の当事者９３０は、どの額または価値のレベルを購入すべきかを判定することができる。たとえば、始める当事者９１０は、ゲーム内で使用されるトークンに関する証印を転送したものとすることができる。第２の当事者９３０は、支払う当事者として、彼または彼女が、１０ドル（＄１０．００）の価値のゲームで使用されるトークンを購入することを望むと判断することができる。第２の当事者９３０は、証印９２０Ａすなわち、購入すべき価値の量の識別９５０と価値９６０とを、使用のために証印をアクティブ化することができる中央プロセッサ９４０に送ることができる。その後、中央プロセッサ９４０は、アクティブ化された証印（特定の価値を有する）を第２の当事者９３０または識別された受け取る当事者に送り返すことができる。図９Ａを参照すると、受け取る当事者は、始める当事者９１０であることもでき、中央プロセッサ９４０または第２の当事者９３０のいずれかが、使用またはさらなる配布のためにアクティブ化された特定の証印９２０Ｂを始める当事者９１０に渡すことができる。
【００５１】
図９Ｂを参照し、本発明のいくつかの実施形態による、証印が、商品またはサービスのカテゴリまたはサブセットを識別でき、特定の商品またはサービスをより具体的に識別するためにさまざまなユーザの間での転送中に進化することのできるもう１つのシステムおよび方法を、これから議論する。
【００５２】
図９Ｂでは、始めるユーザ９１０は、商品またはサービスのカテゴリを識別し、商品またはサービスのそのカテゴリの証印を１つまたは複数の第２の当事者９３０に送ることができる。たとえば、図９Ｂに示されているように、始めるユーザ９１０は、特定のバンド、たとえばｔｈｅ  Ｂｅａｔｌｅｓに対応する証印９２０Ａを送ることができる。第２の当事者９３０は、証印９２０Ａを受け取ることができ、送られたカテゴリから特定の商品またはサービスを選択することができる。その後、第２の当事者９３０は、証印９２０Ａ、選択の識別９５０（たとえば、曲「Ｙｅｌｌｏｗ  Ｓｕｂｍａｒｉｎｅ」）、および価値９６０を中央プロセッサ９４０に送ることができる。中央プロセッサ９４０は、引換のために証印をアクティブ化し、あるいは、第２の当事者９３０によって選択された特定の商品またはサービスと共に使用することができる。中央プロセッサ９４０は、アクティブ化された特定の証印９２０Ｂを第２の当事者９３０に戻って伝達することができ、あるいは、アクティブ化された特定の証印９２０Ｂを識別された受け取る当事者に伝達することができる。図９Ｂが、受信する当事者として始める当事者９１０を示すが、追加のまたは代替の受信する当事者が存在してもよいことに留意されたい。
【００５３】
図１０を参照すると、本発明のいくつかの実施形態によれば、始める当事者１０１０は、組織、組合、パートナーシップ、またはある他のタイプのグループもしくはエンティティとすることができる。たとえば、始める当事者１０１０は、たとえば、総合大学または単科大学の同窓組織など、志を同じくするメンバの組合とすることができる。始める当事者１０１０は、その状況を介して、ある商品またはサービスを下げられた料金でメンバに提供することができる場合がある。たとえば、同窓組織は、さまざまなブランド付きアイテム（学校のスエットシャツその他など）ならびに他の同窓生によって書かれまたは実行された刊行物を、公に入手可能なものより安い料金で提供することができる。始める当事者１０１０は、１つまたは複数の証印１０２１、１０２２、１０２３、１０２４を、１つまたは複数のメンバ１０３１、１０３２、１０３３、１０３４、１０３５に伝達することができる。一部のメンバは、証印１０２１、１０２２、１０２３、１０２４によって識別される１つまたは複数の商品またはサービスを購入しまたは他の形で入手することを選ぶことができ、そのような証印１０２１、１０２２、１０２３、１０２４を選択し、その証印ならびに価値１０５０を、購入のために中央プロセッサ１０４０に渡すことができる。
【００５４】
始める当事者１０１０が、メンバ１０３１、１０３２、１０３３、１０３４、１０３５のために証印１０２１、１０２２、１０２３、１０２４によって識別される商品またはサービスのそれぞれを購入することができ、メンバは、引換のために中央プロセッサ１０４０に証印を伝達することだけが必要であることも企図されていることに留意されたい。
【００５５】
その後、中央プロセッサ１０４０は、受け取るメンバに購入された商品またはサービスを提供する（または、提供を開始する）ことができる（図１０に示されているように、メンバ１０３２は、証印１２３４５ＸＹＺによって識別される商品またはサービスを受け取ることができ、メンバ１０３４は、証印５４３２１ＡＢＣによって識別される商品またはサービスを受け取ることができる）。
【００５６】
そのような下げられた価格の申し出をメンバに提供するために、中央プロセッサが、始める当事者１０１０の組合のメンバとして受け取る当事者の識別を必要とする可能性があることが企図されていることに留意されたい。たとえば、図１０に示されているように、メンバ１０３４は、選択された商品またはサービスの証印１０２３と、メンバ１０６０の識別する特性とを中央プロセッサ１０４０に送ることができる。その後、中央プロセッサ１０４０は、（ａ）受け取られた証印によって識別される特定の商品またはサービスと、（ｂ）受け取られた価値の量が、受け取られた証印によって識別される特定の商品またはサービスに適当であるかどうかと、（ｃ）受け取られた証印によって識別される特定の商品またはサービスに関係する価格または選択について、識別する特性に基づいて、要求する当事者が資格を有するかどうかとを判定することができる。
【００５７】
図１１を参照すると、本発明による転送可能な証印を利用するシステムおよび方法は、企業間アプリケーションで利用され得る。たとえば、第１の会社１１１０は、第２の会社１１３０に商品またはサービスのセレクション１１２０を提供することができる。商品またはサービスのセレクション１１２０は、特定の商品またはサービスを識別するかこれに関連する１つまたは複数の証印１１２１、１１２２、１１２３、１１２４を備えることができる。その後、第２の会社１１３０は、商品またはサービスのセレクション１１２０から１つまたは複数の証印を選択することができ、そのような選択された証印の証印をその従業員および／または顧客１１３１、１１３２、１１３３、１１３４、１１３５に提供することができる。従業員および／または顧客１１３１、１１３２、１１３３、１１３４、１１３５は、引換のために証印のうちの１つまたは複数を選択することができる。従業員および／または顧客１１３１、１１３２、１１３３、１１３４、１１３５が、引換のために１１４０で第２の会社１１３０に証印を送り返すことができ（第２の会社１１３０は、従業員および／または顧客から受け取った証印を集約し、集約物を第１の会社または中央プロセッサ１１６０に送ることができ）、引換のために１１５０で第１の会社１１１０に証印を送ることができ（第１の会社は、証印を中央プロセッサ１１６０に送ることができ）、あるいは、証印を中央プロセッサ１１６０に直接に送ることができる。アクティブ化された証印または証印に関連する商品およびサービスは、第１の会社１１１０、第２の会社１１３０、または中央プロセッサ１１６０から従業員および／または顧客に提供され得る。
【００５８】
本発明のいくつかの実施形態によるシステムおよび方法は、具体的に識別された当事者の間で、特定の商品またはサービスを伝達するのに、または特定の商品またはサービスに関する支払または価値を提供するのにも使用され得る。
【００５９】
たとえば、ある商品またはサービスが、ある受け取る当事者への提供に特に望ましいものとして識別される場合がある。健康食品、暖かい衣類、個別指導、および特定の課外活動など、ある商品またはサービスが、子供に望ましいものとして識別される場合がある。そのようなグループ化は、政府エンティティまたは機関、特定利益集団、または任意の他の関心を持つ当事者によって達成され得る。特定の商品およびサービスのグループ化は、さまざまな当事者の間で配布され得る。これの例は、育児支援に支払う親、落ちこぼれまたは他の形で識別された子供の家族、または外部支援に関するさまざまな慈善事業およびグループ（たとえば、休暇シーズン中の慈善によって動かされるギフト交換の電子版）へのそのような証印の配布を含むことができる。
【００６０】
具体的には、関心を持つ当事者１２１０は、受け取る当事者への提供が重要である、必要である、または望ましいと判定された１つまたは複数の証印１２２１、１２２２、１２２３、１２２４のグループ１２２０を識別することができる。証印のグループ１２２０は、１つまたは複数の当事者１２３１、１２３２、１２３３、１２３４、１２３５に伝達され得る。この点で、さまざまなプロセスが発生することができる。たとえば、当事者１２３１は、当事者１２３１がそれ自体のためまたは受け取る当事者１２３７のためのいずれかで入手したいと思うものとして証印１２２１を識別することができる。その後、当事者１２３１は、証印１２２１および支払１２５０を中央プロセッサ１２４０に送ることができる。その後、中央プロセッサ１２４０は、証印１２２１によって識別される商品またはサービスを判定し、当事者１２３１に戻ってまたは受け取る当事者１２３７へのいずれかへ商品またはサービスを提供しまたは提供を開始することができる。
【００６１】
いくつかの状況で、証印のグループを受け取る当事者が、識別された商品またはサービスの購入に使用可能な資金を有しないが、それでもその商品またはサービスの資格を与えられる場合がある。たとえば、ユーザ１２３３が、望ましいものとして証印１２２３を識別する場合があり、証印１２２３だけを中央プロセッサ１２４０に送信する場合がある。その後、中央プロセッサ１２４０は、当事者１２３３に戻って商品またはサービスを提供しまたは提供を開始することができる。たとえば、当事者１２３３が、政府支援（食品割引券、ＴＡＮＩＦなど）を受けている場合に、ある種の追加の商品またはサービスが、無料で提供される場合がある。
【００６２】
いくつかの実施形態によれば、ユーザ１２３５は、証印のグループ１２２０を受け取り、グループ１２２０から、２つの識別された商品またはサービスが望ましいと判定することができる。これらの商品またはサービスに関連する証印１２２２、１２２４は、購入のために別の当事者１２３８に伝達され得る。当事者１２３８は、送られた証印のうちの１つ１２２４を選択することができ、証印１２２４および支払１２５０を中央プロセッサ１２４０に伝達することができる。その後、中央プロセッサは、ユーザ１２３５に戻ってまたは識別された受取人１２３６に商品またはグループを提供し、または提供を開始することができる。たとえば、州機関は、何が子供の「必需品」として適格であるのかを判定することができ、親権を持つ親は、個人的に適用可能な必需品に対応する証印を親権を持たない親（すなわち、親権を持つ親の子供の養育費を支払うか他の形で金融支援を提供する人）に送ることができる。その後、親権を持たない親は、彼または彼女が特定の商品またはサービス（たとえば、教科書または生活必需品）を購入することを望む（またはある範囲まで義務を負う可能性がある）かどうかを判断することができ、証印および支払を中央プロセッサ１２４０に送ることができる。その後、中央プロセッサ１２４０は、商品またはサービスを当事者１２３５または受け取る当事者（ここでは、たとえば、子供）１２３６に提供し、または提供を開始することができる。
【００６３】
本発明のいくつかの実施形態によれば、始める当事者１３１０は、複数の証印１３２１、１３２２、１３２３、１３２４を購入しまたは他の形で入手することができる。ここで、始める当事者１３１０は、支払う当事者でもあることができる。その後、始める当事者１３１０は、アクティブな証印１３２１、１３２２、１３２３、１３２４をさまざまな受け取る当事者１３３１、１３３２、１３３３に配布することができる。受け取る当事者１３３１は、証印１３２１を受け取ることができ、受け取る当事者１３３２は、証印１３２２および１３２３を受け取ることができ、受け取る当事者１３３３は、証印１３２４を受け取ることができる。証印１３２１、１３２２、１３２３、１３２４は、支払われ、アクティブであるものとすることができるが、まだ引き換えられていないものとすることができる。したがって、受け取る当事者１３３１、１３３２、１３３３のそれぞれは、それぞれの受け取られた証印を中央プロセッサ１３４０で引き換えることができる。
【００６４】
たとえば、休日イベントで、始める当事者は、複数の証印を購入することができ、始める当事者がふさわしいと思う受け取る当事者に証印を配布することができる。もう１つの例は、始める当事者がさまざまなギフト受取人の間で配布する「ディジタルクリスマスプレゼント」の購入とすることができる。
【００６５】
図１４Ａおよび１４Ｂを参照し、グループギフトを対象とする本発明のいくつかの実施形態によるシステムおよび方法を、これから議論する。グループギフトは、一般に、少なくとも３つの環境すなわち、直列環境、並列環境、および／または直列と並列との組合せで発生すると考えることができる。
【００６６】
始める当事者１４１０は、商品またはサービスに対応する証印を選択することができる。議論を簡単にするために、証印は、プリペイドデビットカードまたはプリペイドギフトカードに対応することができる。しかし、グループギフトが、さまざまな統一小売り価格で購入しまたはアンロックすることのできる異なる製品または製品の特徴を提供することもできることに留意されたい。始める当事者１４１０は、証印を選択することができ、証印に価値１４３０を付加することができる。たとえば、始める当事者１４１０は、証印に５０．００ドルを付加することができる。その後、証印１４２０（５０．００ドルの価値を伴う）は、第２の当事者１４１１に伝達され得る。第２の当事者１４１１は、証印、今は証印１４２１に２０．００ドルを付加し、証印１４２１を第３の当事者１４１２に伝達することができる。第３の当事者１４１は、証印に１００．００ドルを付加することができる。このプロセスは、任意の人数の当事者を通じて継続することができる。最後の当事者が価値を付加した時に（当事者は、参加する当事者のプールが使い果たされた時、制限時間に達した時、またはギフトに貢献することに関心を持つ当事者がもういない時に、最後の当事者になる可能性がある）、１７０．００ドルの組み合わされた価値を伴う最後の証印１４２２が、受け取る当事者１４４０に提供され得る。
【００６７】
図１４Ｂを参照し、並列貢献方式を議論する。図１４Ｂでは、始めるユーザ１４１０は、受け取る当事者１４４０のためのギフトとして証印１４２０を選択する。その後、始めるユーザ１４１０は、証印１４２０を１つまたは複数の当事者１４１１、１４１２、１４１３に配布する。１つまたは複数の当事者１４１１、１４１２、１４１３のそれぞれは、証印１４２０および価値の量を中央プロセッサに伝達することによって、証印に価値を付加することができる。たとえば、当事者１４１１は、５０．００ドルの価値を評価１４３０することができ、当事者１４１２は、２０．００ドルの価値１４３１を伝達することができ、当事者１４１３は、１００．００ドルの価値１４３２を伝達することができる。中央プロセッサ１４５０は、価値を集約し、組み合わされたギフト価値（ここでは、１７０．００ドル）に関連する証印１４２５を提供することができる。中央プロセッサ１４５０は、その証印を受け取る当事者１４４０に提供することができ、あるいは、中央プロセッサ１４５０は、受け取る当事者１４４０への伝達のために始める当事者１４１０に戻って最終的な資金供給された証印を提供することができる。
【００６８】
一般に、本発明は、転送可能な証印のライフサイクルである証印を提供する。証印は、ある種の商品もしくはサービス、または商品もしくはサービスのグループもしくはセットを識別することができる。証印は、商品またはサービス、たとえば特定のバンドの特定の曲またはギフトカードのある価値をさらに識別するために、変更され得る。証印は、ユーザのグループへの特定の申し出を提供するために、始める当事者、受け取る当事者、または支払う当事者の識別を含むことができる。証印は、始める業者がある場合にこれを識別する情報、または、証印を取り込むか他の形で記録するように始める当事者を導く広告を含むことができる。
【００６９】
証印は、これらのさまざまな状態で多数の当事者の間で転送され得る。証印は、特定の取引で必要なまたは望ましい情報を提供するために、そのような取引中に進化することができる。
【００７０】
さまざまな他の属性および／または特性は、本発明のシステムおよび方法の一部とすることができる。たとえば、「日替わりセール」または他のそのような名前などの属性が、利用され得る。そのような属性では、証印をダウンロードする顧客は、「日替わりセール」の一部として、関連する関係する販売促進について顧客に知らせる通知またはメッセージを受け取ることができる。たとえば、顧客が、レストランの証印（たとえば、Ｏｕｔｂａｃｋギフトカードの証印）をダウンロードする場合に、所望のレストラン購入のゆえに、これに鑑みて、またはこれに基づいて、映画館の証印（たとえば、ＡＭＣ映画館）が、提供され得る。
【００７１】
本発明のいくつかの実施形態によれば、上で議論したアプリケーションまたはプログラムは、ユーザが小売業者店舗またはその近くにいる時に、小売業者ディスプレイと選択的に通信しているものとすることができる（ユーザがディスプレイの真横または非常に近くにいることを要求するのではなく）。その後、アプリケーションまたはプログラムは、その小売業者から入手可能な仮想製品のすべてまたはほとんどのいずれかを表示することができる。
【００７２】
本発明のいくつかの実施形態によれば、上で議論したアプリケーションまたはプログラムは、たとえば小売業者店舗内で、ユーザの位置を追跡することができる。この形で、詳細な申し出または「日替わりセール」が、位置内のユーザの位置に基づいて、ユーザに提供され得る。たとえば、ユーザが、ＤＶＤが販売される店の一部にいる場合に、ユーザは、たとえば特定の映画または劇場チケットに関する下げられた価格を対象とする販売促進または「日替わりセール」を受け取ることができる。もう１つの例は、相補的なアイテムに関する値引きをユーザに申し出ることとすることができる。たとえばは、ユーザは、コンピュータが購入される店の一部におり、ユーザは、オンラインアーカイブサービスまたはオンラインバックアップサービスの販売促進または「日替わりセール」を受け取ることができる。
【００７３】
さまざまな小売業者およびプロバイダが、販売し、提供する小売業者になるために、潜在的な手数料を意図的に下げることができる。たとえば、始める小売業者は、購入が始める小売業者から行われる場合に、価格が、通常より１．５％安くなると広告することができる。始める小売業者は、販売し、提供する小売業者になる場合に、販売手数料を１．５％だけ下げることができるものとすることができ、これによって、販売を促進するために、多くのオリジネーションコミッション（origination commission）および下げられた販売手数料を集めることができる。
【００７４】
本発明のさまざまな他の態様も、利用され得る。たとえば、証印が、ユーザデバイスによって入手される時に、ディジタル商品またはディジタルサービスの場合に、商品またはサービスは、実際に、ロックされた状態またはインアクティブ状態でデバイスに配置され得る。小売業者でインレーンでまたはアプリケーションもしくは他の接続の使用を介してその後にのいずれかで購入された後に、ディジタル商品またはディジタルサービスは、アンロックされ得る。これは、少なくとも２つの利益を提供することができる。
【００７５】
第１に、ディジタル商品またはディジタルサービスのローディングは、かなりの量のデータが送信されることを必要とする場合があるが、潜在的に無料の小売業者がスポンサーになったネットワーク接続を使用して、小売業者で達成され得る。したがって、ユーザは、そのような転送に関する過度のデータ料金について心配する必要がない。購入が完了した時には、ディジタル商品またはディジタルサービスの使用をアンロックするか認可するために、最小限のデータが、提供する小売業者から受け取る当事者に転送される必要がある可能性がある。たとえば、暗号化鍵または他のそのようなパスワードもしくは認可コードが、提供する当事者から送信されるものとすることができる。
【００７６】
第２に、ユーザは、さまざまなディジタル商品またはディジタルサービスを選択し、それらをデバイスにロードし、その後、実際に使用される商品またはサービスについてのみ選択し、支払うことができる。たとえば、旅行の前に、ユーザは、ユーザデバイスに配置できる３つまたは４つのディジタル映画、証印、およびファイルを選択することができる。その後、ユーザは、実際に見たいまたは見る時間がある映画だけを選択し、支払うことができる。
【００７７】
さらに、証印の転送可能性（上で議論した）に起因して、始める当事者（たとえば、子供）は、第１の当事者がアクセスを望む別の当事者（たとえば、親）にさまざまな証印を送ることができる。その後、第２の当事者すなわち親は、よいと思う商品またはサービスを選択し、そのような商品またはサービスについて支払うことができ、これらの商品またはサービスは、その後、始める当事者すなわち子供に送られまたは提供され得る。そのような態様は、どのように使用できるのかにおける制限を有する（たとえば、アルコールまたは煙草ではなく食品雑貨類に関して）受け取る当事者に価値を提供するために、フィルタカードまたは使用制限付きカード（restricted spend card）と一般に称するものと結合され得る。
【００７８】
本明細書で示され、説明された本発明の特定の実施形態が、例示にすぎないことを理解されたい。本発明の趣旨および範囲から逸脱しない多数の変形、変更、置換、および同等物を、当業者は思い浮かべるであろう。したがって、本明細書で説明され、添付図面に示されたすべての主題が、限定的な意味ではなく、例示にすぎないとみなされ、本発明の範囲が、添付の特許請求の範囲のみによって決定されることが、意図されている。
以下に、本願出願当初の特許請求の範囲に記載された発明を付記する。
［Ｃ１］
商品またはサービスに関連する証印を利用して取引を行う方法であって、前記証印は、始める業者によって始める当事者に最初に提供されるが、前記証印は、入手する当事者によって提供する業者での取引で使用され得、前記取引は、中央プロセッサと、前記始める業者および前記提供する業者を含み得る１つまたは複数の業者と、前記始める当事者および前記入手する当事者を含み得る１つまたは複数の当事者との間で行われ、
前記中央プロセッサで前記提供する業者から前記証印を受け取ることと、
前記中央プロセッサによって、
前記証印が有効であるかどうかと、
前記証印に関連する前記商品またはサービスと
を判定することと、
前記中央プロセッサによって、前記提供する業者が前記始める業者であるかどうかを判定し、前記提供する業者が前記始める業者ではないと判定される時に、前記証印の適当な取引価格を判定することと、
前記中央プロセッサによって、前記入手する当事者が前記始める当事者であるかどうかを判定し、前記入手する当事者が前記始める当事者ではないと判定される時に、前記証印の前記取引価格を変更すべきかどうかを判定することと、
前記中央プロセッサと前記提供する業者との間で前記証印の最終的な取引価格を通信することと
を備える方法。
［Ｃ２］
前記証印が前記商品またはサービスに引き換えられ得るように、前記中央プロセッサで前記証印をアクティブ化することをさらに備える、［Ｃ１］に記載の方法。
［Ｃ３］
前記商品またはサービスを前記入手する当事者に提供することをさらに備える、［Ｃ１］に記載の方法。
［Ｃ４］
前記証印の前記適当な取引価格は、前記始める業者によって提供される前記証印に適用可能なすべての販売促進に少なくとも部分的に基づく、［Ｃ１］に記載の方法。
［Ｃ５］
前記証印の前記適当な取引価格は、前記提供する業者によって提供される前記証印に適用可能なすべての販売促進に少なくとも部分的に基づく、［Ｃ１］に記載の方法。
［Ｃ６］
前記証印の前記最終的な取引価格は、前記始める当事者に適用可能なすべての販売促進または特別価格設定に少なくとも部分的に基づく、［Ｃ１］に記載の方法。
［Ｃ７］
前記証印の前記最終的な取引価格は、前記入手する当事者に適用可能なすべての販売促進または特別価格設定に少なくとも部分的に基づく、［Ｃ１］に記載の方法。
［Ｃ８］
前記中央プロセッサによって、前記証印が複数の当事者の間で転送されたかどうかを判定し、そうである場合には、転送の回数を記録すること
をさらに備える、［Ｃ１］に記載の方法。
［Ｃ９］
前記証印が複数の当事者の間で転送されたかどうかの前記中央プロセッサの前記判定は、そのような転送によって引き起こされる前記証印に対する修正または変更に少なくとも部分的に基づく、［Ｃ８］に記載の方法。
［Ｃ１０］
前記提供する業者が前記始める業者であるかどうかの前記判定は、前記始める業者を識別する証印の部分に少なくとも部分的に基づく、［Ｃ１］に記載の方法。
［Ｃ１１］
前記提供する業者が前記始める業者であるかどうかの前記判定は、前記提供する業者の身元の前記始める業者の識別子との比較に少なくとも部分的に基づき、前記始める業者の前記識別子は、前記証印の一部であるか前記証印に含まれる、［Ｃ１］に記載の方法。
［Ｃ１２］
前記証印が有効であるかどうかの前記中央プロセッサによる前記判定は、前記証印が商品またはサービスを表す証印であるかどうかに基づく、［Ｃ１］に記載の方法。
［Ｃ１３］
前記証印が有効であるかどうかの前記中央プロセッサによる前記判定は、前記証印が前記提供する業者によって受入可能であるかどうかの判定である、［Ｃ１］に記載の方法。
［Ｃ１４］
前記証印が有効であるかどうかの前記中央プロセッサによる前記判定は、指定された長さの時間が満了し、前記証印を無効にしたかどうかに基づく、［Ｃ１］に記載の方法。
［Ｃ１５］
転送の前記回数は、商品もしくはサービス、業者、および／または販売促進の人気を判定するのに使用される、［Ｃ８］に記載の方法。
［Ｃ１６］
前記証印は、前記中央プロセッサで暗号化されたフォーマットで受け取られる、［Ｃ１］に記載の方法。
［Ｃ１７］
商品またはサービスに関連する証印を利用して取引を行う方法であって、前記証印は、始める業者によって始める当事者に最初に提供されるが、前記証印は、入手する当事者によって提供する業者との取引で使用され得、前記取引は、中央プロセッサと、前記始める業者および前記提供する業者を含み得る１つまたは複数の業者と、前記始める当事者および前記入手する当事者を含み得る１つまたは複数の当事者との間で行われ、
前記中央プロセッサで前記証印を備える開始メッセージを受け取ることと、
前記中央プロセッサによって、
前記証印が有効であるかどうかと、
前記証印に関連する前記商品またはサービスと、
前記始める業者と、
前記商品もしくはサービスまたは始める業者に関連するすべての関係する価格または販売促進と
を判定することと、
前記中央プロセッサで前記提供する業者から前記証印を受け取ることと、
前記中央プロセッサによって、前記提供する業者が前記始める業者であるかどうかを判定し、前記提供する業者が前記始める業者ではないと判定される時に、前記証印の適当な取引価格を判定することと、
前記中央プロセッサによって、前記入手する当事者が前記始める当事者であるかどうかを判定し、前記入手する当事者が前記始める当事者ではないと判定される時に、前記証印の前記取引価格を変更すべきかどうかを判定することと、
前記中央プロセッサと前記提供する業者との間で前記証印に関連する前記商品またはサービスの最終的な取引価格を通信することと
を備える方法。
［Ｃ１８］
前記中央プロセッサは、前記開始メッセージを前記始める業者から受け取る、［Ｃ１７］に記載の方法。
［Ｃ１９］
前記中央プロセッサは、前記開始メッセージを前記始める業者によって提示されるディスプレイから受け取る、［Ｃ１７］に記載の方法。
［Ｃ２０］
前記中央プロセッサは、前記開始メッセージを前記始める業者に関連するプログラムまたはアプリケーションから受け取る、［Ｃ１７］に記載の方法。
［Ｃ２１］
前記中央プロセッサは、前記開始メッセージを前記始める業者の電子プレゼンス、ディジタルプレゼンス、またはオンラインプレゼンスから受け取る、［Ｃ１７］に記載の方法。
［Ｃ２２］
前記中央プロセッサは、前記開始メッセージおよび前記証印を暗号化された通信で受け取る、［Ｃ１７］に記載の方法。
［Ｃ２３］
前記開始メッセージは、前記証印が前記始める当事者によって前記始める業者から入手された時の時刻および日付スタンプをさらに備える、［Ｃ１７］に記載の方法。
［Ｃ２４］
商品またはサービスに関連する証印を利用して取引を行うシステムであって、
中央プロセッサと、
始める業者であって、前記証印を始める当事者に提供する、始める業者と、
始める当事者であって、前記証印を前記始める当事者から入手する、始める当事者と、
提供する業者であって、アクティブ化された証印または前記証印に関連する前記商品もしくはサービスのいずれかを入手する当事者に提供し、前記中央プロセッサと選択的に通信している、提供する業者と、
入手する当事者であって、前記提供する業者と前記取引を行い、アクティブ化された証印または前記商品もしくはサービスのいずれかを前記提供する業者から入手する、入手する当事者と
を備えるシステム。
［Ｃ２５］
前記始める業者および前記提供する業者は、同一の業者である、［Ｃ２４］に記載のシステム。
［Ｃ２６］
前記始める当事者および前記入手する当事者は、同一の当事者である、［Ｃ２４］に記載のシステム。
［Ｃ２７］
前記入手する当事者は、前記提供する業者からアクティブ化された証印を受け取り、前記アクティブ化された証印を受け取る当事者に伝達する、［Ｃ２４］に記載のシステム。
［Ｃ２８］
前記中央プロセッサは、
前記証印が有効であるかどうかと、
前記証印に関連する前記商品またはサービスと、
前記提供する業者が前記始める業者であるかどうかと、
前記入手する当事者が前記始める当事者であるかどうかと、
前記証印の最終的な取引価格と
を判定するように構成される、［Ｃ２４］に記載のシステム。
【図１】
0005964466.tif 000002
【図２】
0005964466.tif 000003
【図３】
0005964466.tif 000004
【図４】
0005964466.tif 000005
【図５】
0005964466.tif 000006
【図６】
0005964466.tif 000007
【図７】
0005964466.tif 000008
【図８Ａ】
0005964466.tif 000009
【図８Ｂ】
0005964466.tif 000010
【図８Ｃ】
0005964466.tif 000011
【図８Ｄ】
0005964466.tif 000012
【図９Ａ】
0005964466.tif 000013
【図９Ｂ】
0005964466.tif 000014
【図１０】
0005964466.tif 000015
【図１１】
0005964466.tif 000016
【図１２】
0005964466.tif 000017
【図１３】
0005964466.tif 000018
【図１４Ａ】
0005964466.tif 000019
【図１４Ｂ】
0005964466.tif 000020